(57)【要約】【課題】  前面が滑らかな曲面状に形成され、口径の大きな吹出口を備えた空気調和機において、運転停止時、口径の大きな吹出口を支障なく閉じることができる一方、冷房運転時には、ショートサーキット現象を生じることなく、冷気を水平方向に送出することのできる上下風向板を備えた空気調和機を提供することを目的とする。【解決手段】上下風向板６は、吹出口５を閉じた際、上部に、前面に膨出する湾曲状となるように第一湾曲部６ａを形成し、下部に、前記第一湾曲部６ａより小径で後方に湾曲状となる第二湾曲部６ｂを形成した構成となっている。また、冷房運転時、前記第二湾曲部６ｂが、吹出通路の下面を形成するリアガイダ５ｂの延長線上に、同リアガイダ５ｂと接して上方に湾曲するように位置し、前記第一湾曲部６ａが、前記第二湾曲部６ｂより低く位置するようになっている。【選択図】図３
2009198140.tif 000002
【特許請求の範囲】
【請求項１】
少なくとも前面に吸込口を、前面下部に上下風向板を備えた吹出口を設けた本体の前面を滑らかな曲面状に形成し、前記吸込口と前記吹出口とを結ぶ空気流路に、熱交換器と送風ファンとを備え、同送風ファンから前記吹出口に連なる吹出通路を備えてなる空気調和機において、
前記上下風向板は、前記吹出口を閉じた際、上部に、前面に膨出する湾曲状となるように第一湾曲部を形成し、下部に、後方に湾曲状となる第二湾曲部を形成したことを特徴とする空気調和機。
【請求項２】
冷房運転時、前記第二湾曲部が、前記吹出通路の下面を形成するリアガイダの延長線上に、同リアガイダと接して上方に湾曲するように位置し、前記第一湾曲部が、前記第二湾曲部より低く位置してなることを特徴とする請求項１に記載の空気調和機。
【請求項３】
運転停止時、前記第二湾曲部により、室内の照明光を帯状に反射させてなることを特徴とする請求項１に記載の空気調和機。
【発明の詳細な説明】
【技術分野】
【０００１】
本発明は、空気調和機に関わり、より詳細には、空気調和機の吹出口に備えられた風向板の構成に関するものである。
【背景技術】
【０００２】
近年、空気調和機は、壁面に設置した際のコンパクト感が求められ、前面が平坦状で細長矩形状に形成された従来の本体形状に替わり、本体の高さ寸法を抑える一方、前後寸法が奥行きのある形状となってきている。また、コンパクト化に相反して吹出風量の増加が求められるようになってきている。
【０００３】
例えば、図６（Ａ）で示す空気調和機３０は、上記したような要求に対応するため、高さ寸法を抑える一方、前後寸法が奥行きのある形状で本体３１を形成するとともに、吹出風量の増加に対応するため、前面を滑らかな曲面状に形成し、同前面下部に口径の大きい吹出口３４を設けている。
【０００４】
前記本体３１の前面には、パネル４２で覆われる前面吸込口３２が設けられ、上面には上面吸込口３３が設けられている。本体３１の前面下部には、上記した吹出口３４が設けられ、同吹出口３４には、図示しない複数の左右風向板と、一方が凸面となるように湾曲状に形成された上下風向板４０とが設けられ、同上下風向板４０は、アーム４１により回動して、吹出口３４から吹出される空気を上下に偏向する一方、運転停止時には、適宜角度、回動して、口径が大きく形成された前記吹出口３４を閉鎖するようになっている（特許文献１参照）。
【０００５】
前記前面吸込口３２及び上面吸込口３３と、前記吹出口３４とを結ぶ空気流路には、熱交換器３５と送風ファン３６とが設けられ、また、同送風ファン３６と前記吹出口３４との間には、上面がフロントガイダ３８で、下面が滑らかな湾曲状に形成されたリアガイダ３９でなる吹出通路３７が設けられている。前記前面吸込口３２及び上面吸込口３３から吸込まれた室内の空気は、前記熱交換器３５により熱交換された後、前記送風ファン３６から前記吹出通路３７を通り、前記吹出口３４から室内に再び送出されるようになっている。
【０００６】
また、図６（Ｂ）で示すように、本体３１の前面には、駆動機構４４とリンク機構４３が設けられ、これらにより前記パネル４２は前後方向に移動可能となっている。同パネル４２が前方に移動すると、これの周囲を通り前記前面吸込口３２から室内の空気が吸込まれ、後方に移動すると前記前面吸込口３２を閉塞するようになっている。更に、中間位置においては、延出部材４５により同パネル４２の下面を閉塞するようになっている。
【０００７】
冷房運転時、前記上下風向板４０は前記アーム４１により駆動され、図６（Ｂ）で示すように、後端部を前記リアガイダ３９の先端部に当接させ、同上下風向板４０と前記リアガイダ３９との間を閉塞する一方、水平な状態で凹面を上に向けて前記吹出口３４から送出される冷気４６を偏向するようになっている。また、前記パネル４２は上記した中間位置に移動し、前記前面吸込口３２から空気を吸引しながら、同パネル４２の下面を前記延出部材４５により閉塞するようになっている。
【０００８】
前記吹出口３４から吹出された冷気４６は前記上下風向板４０により、水平方向あるいは上方に向けて流れを偏向され室内の隅々まで送出されるようになっており、また、前記パネル４２の延出部材４５により同パネル４２の下面を閉塞することにより、前記上下風向板４０で上方に向けて偏向された冷気４６が、前記前面吸込口３２から再び吸引される現象、所謂ショートサーキット現象が発生しないようにしている。しかしながら、延出部材４５を設けることは、空気調和機の構造が複雑になるばかりでなく、コストを上昇させる要因となっていた。
【特許文献１】特開２００８−２７７９号公報
【発明の開示】
【発明が解決しようとする課題】
【０００９】
本発明は、前面が滑らかな曲面状に形成され、口径の大きな吹出口を備えた空気調和機において、延出部材等がなくとも、運転停止時、口径の大きな吹出口を支障なく閉じることができる一方、冷房運転時には、ショートサーキット現象を生じることなく、冷気を水平方向に送出することのできる上下風向板を備えた空気調和機を提供することを目的とする。
【課題を解決するための手段】
【００１０】
本発明は、上記課題を解決するため、少なくとも前面に吸込口を、前面下部に上下風向板を備えた吹出口を設けた本体の前面を滑らかな曲面状に形成し、前記吸込口と前記吹出口とを結ぶ空気流路に、熱交換器と送風ファンとを備え、同送風ファンから前記吹出口に連なる吹出通路を備えてなる空気調和機において、前記上下風向板は、前記吹出口を閉じた際、上部に、前面に膨出する湾曲状となるように第一湾曲部を形成し、下部に、後方に湾曲状となる第二湾曲部を形成した構成となっている。また、冷房運転時、前記第二湾曲部が、前記吹出通路の下面を形成するリアガイダの延長線上に、同リアガイダと接して上方に湾曲するように位置し、前記第一湾曲部が、前記第二湾曲部より低く位置してなる構成となっている。また、運転停止時、前記第二湾曲部により、室内の照明光を帯状に反射させてなる構成となっている。
【発明の効果】
【００１１】
本発明によると、前面が滑らかな曲面状に形成された本体の吹出口に、上下風向板を設け、同上下風向板が前記吹出口を閉じた際、同吹出口の上側に位置する、上縁部から中央部以降に至る部位は、前方に膨出する湾曲状に形成され第一湾曲部を構成する一方、前記吹出口の下側に位置し、前記第一湾曲部より下方の部位は後方に凹む湾曲状に形成され第二湾曲部を構成することにより、冷房運転時、通風路の下面となるリアガイダにガイドされた下層側の冷気は、同リアガイダの延長となる、上方に向かい滑らかに湾曲した第二湾曲部により流れを前方に導びかれ、水平方向に向かい送出されるようになっている。また、前記第一湾曲部は前記第二湾曲部より一段低い位置に位置するようになっており、下層側の冷気は、一段低く位置し、下方に向かい湾曲状に形成された第一湾曲部に導びかれて、上方に巻き上げられることなく水平方向に送出されるようになっている。また、吹出口から吹出された上層側の冷気も、流速の速い下層側の冷気に誘引されて、上方に向かうことなく水平方向に送出されるようになっている。これにより前記吹出口から吹出された冷気は、ショートサーキット現象を生じることなく室内の隅々まで届き、室内の温度を極力均一化して快適な冷房運転を行えるようになっている。また、運転停止時は、上下風向板の第一湾曲部により、吹出口上端まで隙間を生じることなく吹出口を閉鎖することができるようになっている。更に、前面が曲面状のため、天井からの照明光により影となる本体下部に、前記第二湾曲部が照明光を細い帯状に反射することによりアクセントとなり、空気調和機本体にスリム感を与え、インテリア性を向上させることができるようになっている。
【発明を実施するための最良の形態】
【００１２】
以下、本発明の実施の形態を、添付図面に基づいた実施例として詳細に説明する。
【実施例１】
【００１３】
図１は本発明による空気調和機を示す外観斜視図であり、図２はその断面図である。図３（Ａ）及び図３（Ｂ）は上下風向板を示す斜視図及び断面図であり、図３（Ｃ）は本体の前面下部を示す要部斜視図である。また、図４（Ａ）及び図４（Ｂ）は風向板の効果を示す説明図であり、図５も風向板の効果を示す説明図である。
【００１４】
本発明による空気調和機は、図１の外観斜視図及び図２の断面図で示すように、前面側が開放され横長矩形状に形成されたベース１に、前面が滑らかな曲面状に形成された前面パネル２を装着し本体を構成している。前面パネル２の中央部には、左右方向にスリット状に形成された前面吸込口４が設けられ、上面には複数の横桟からなる上面吸込口３が設けられている。また、滑らかな曲面状に形成された前面の下部には、上下風向板６及び左右風向板１３とを備えた口径の大きい吹出口５が設けられ、その側方には、複数のＬＥＤからなる表示部７と、リモートコントローラからの信号を受信する受信部が設けられている。
【００１５】
前記上面吸込口３及び前面吸込口４と前記吹出口５とを結ぶ空気流路には、図２で示すように、吸込まれた空気中の塵埃を除去するフィルタ８と、平行に並べられたフィンと同フィンに直交するように配設された伝熱管とからなり、前方下部９ａと前方上部９ｂと後方上部９ｃとで構成される熱交換器９と、同熱交換器９で熱交換された空気を前記吹出口５から再び室内に送出する送風ファン１１とが設けられている。また、前記前方下部９ａの下方には、同前方下部９ａと前記前方上部９ｂとから滴下する凝縮水を受け、これを貯留する前部露受皿１０ａが設けられ、前記後方上部９ｃの下方には、同後方上部９ｃから滴下する凝縮水を受け、これを貯留する後部露受皿１０ｂが設けられている。また、前記送風ファン１１と前記吹出口５とを結ぶ吹出通路の上部側は、フロントガイダ５ａよりなり、下部側は、滑らかな湾曲状に形成されたリアガイダ５ｂからなっており、前記送風ファン１１から送出された空気は、前記フロントガイダ５ａ及び湾曲状に形成されたリアガイダ５ｂにより整流されながらガイドされて、前記吹出口５から室内に吹出されるようになっている。
【００１６】
前記吹出口５に備えられた上下風向板６は、後面下部にリブ６ｃを設け、同リブ６ｃから左右方向に突設した軸６ｄを、吹出口５の上壁から垂下したステー１２に軸支されることにより回動自在に軸支されて、水平方向あるいは斜め方向の所定角度に回動した際、吹出される空気を上下方向に偏向する一方、運転停止時は本体と面一となるように前記吹出口５上端を閉じるようになっている。
【００１７】
また、上下風向板６は図３（Ａ）の斜視図、及び図３（Ｂ）の断面図で示すように、断面Ｓ字状となるように形成され、同上下風向板６が、前記リブ６ｃの軸６ｄを軸芯として回動し、前記吹出口５を閉じた際、同吹出口５の上側に位置する、上縁部から中央部以降に至る部位は、大半径（例えばＲ３００ｍｍ）により前方に膨出する湾曲状の第一湾曲部６ａを形成する一方、前記吹出口５の下側に位置し、前記第一湾曲部６ａより下方の部位は小半径（例えばＲ３０ｍｍ）により後方に凹む湾曲状の第二湾曲部６ｂを形成している。また、図３（Ｃ）で示すように、前記前面パネル２の吹出口側方部２ａも上下風向板６の断面形状と一致するように形成されている。従来の空気調和機に比較し、口径が大きく形成された前記吹出口５は、運転停止時、湾曲状に形成された前記第一湾曲部６ａにより上端部に隙間を生じることなく閉鎖されることができるようになっている。
【００１８】
次に、冷房運転時の前記上下風向板６の動作について説明する。冷房運転開始時、前記送風ファン１１は、設定された室温に短時間で達するよう最大出力で回転し、前記熱交換器９で熱交換された空気を勢いよく送出するようになっている。前記上下風向板６は、図４（Ａ）で示すように、前記リアガイダ５ｂの先端部近傍を中心として斜め下方に回動し、これにガイドされて冷気は前記吹出口５から下方に向かい勢いよく室内に送出されるようになっている。
【００１９】
ここで、図示しない温度センサにより室温が検出され、検出された室温が、予め設定された温度に近づくと、前記送風ファン１１は最大出力から減速された回転速度となるよう図示しない制御部により制御され、また、これに伴なって前記上下風向板６は、所定角度位置に回動するよう制御されるようになっている。この状態で、第二湾曲部６ｂは、図４（Ｂ）で示すように、前記リアガイダ５ｂを延長するように同リアガイダ５ｂの、二点鎖線で示す仮想延長線上に位置し、また、前記第一湾曲部６ａは下方に凹む湾曲状となって前記第二湾曲部６ｂの下方に位置するようになっており、また、リアガイダ５ｂの先端部と、第二湾曲部６ｂの先端部は、滑らかに繋がるようになっている。
【００２０】
前記送風ファン１１から送出され、通風路の下面となる前記リアガイダ５ｂにガイドされた流速が速い下層側の冷気１４ａは、図４（Ｂ）で示すように、上方に向かい滑らかに湾曲した第二湾曲部６ｂにより、前記リアガイダ５ｂの延長線上に吹出されるようになっている。第二湾曲部６ｂを通過した下層側の冷気１４ａは、同第二湾曲部６ｂより低い位置に位置する前記第一湾曲部６ａに流れ込み、上方に向かうことなく水平方向に流れを偏向されながら前記吹出口５から送出されるようになっている。また、フロントガイダ５ａ側から吹出された流速が遅い上層側の冷気１４ｂは、下層側の冷気１４ａに誘引され水平方向に送出されるようになっている。これにより、吹出口５から吹出された空気が上方に巻き上げられ、前記吸込口４から再び吸込まれるショートサーキット現象を極力防止できるようになっている。従来例の図６（Ｂ）で示すように、上下風向板４０を、単に下方に凹む湾曲状に形成すると、吹出口３４から吹出された空気は、その形状に沿って上方に向かう湾曲状の流れとなりショートサーキット現象を生じやすくなり、その防止策として延出部材４５が必要であったが、本願の構成では、延出部材等を設けなくても、冷気が上方に向かう現象を極力抑制することができ、余分な機構が不要となり、構造の簡素化、コスト削減が図れるようになっている。また、空気調和機の下方に直下して使用者の肌に直接、冷気が触れることを防ぎながら室内の隅々まで届き、室内の温度を極力均一化して快適な冷房運転を行えるようになっている。
【００２１】
次に、運転停止時の前記上下風向板６の効果について説明する。図５の外観斜視図で示すように、空気調和機が壁面に設置され、天井面に備えられた蛍光灯等の照明器具から照明された場合、前面が滑らかな曲面状に形成された前記前面パネル２の上面部が照明器具からの光を広範囲で反射するとともに、照明光の影となる本体下部に、前記上下風向板６の小半径で後方に湾曲した第二湾曲部６ｂ及び後方に湾曲した前面パネル２の吹出口側方部２ａが光を反射するすることにより、細い帯状に見えるようになっている。従来は影の部分となって、重い印象を与えていた部位が光を反射して細い帯状に見えることによりアクセントとなり、空気調和機本体にスリム感を与え、インテリア性を向上させることができるようになっている。
【００２２】
以上、説明したように、前面が滑らかな曲面状に形成された本体下部に口径の大きい吹出口５を設けるとともに、同吹出口５に、前方に膨出する湾曲状に形成され第一湾曲部６ａと、小半径により後方に凹む湾曲状に形成され第二湾曲部６ｂとからなる上下風向板６を設けることにより、冷房運転時、前記第二湾曲部６ｂにより、前記リアガイダ５ｂが延長されたような状態となり、吹出口５から吹出された冷気はリアガイダ５ｂの延長線状に送出され、更に、下方に向かい湾曲状に形成された前記第一湾曲部６ａにより、ショートサーキット現象を生じることなく水平方向及び下方に向かい送出されるようになっている。これにより前記吹出口から吹出された冷気は、室内の隅々まで届き、室内の温度を極力均一化して快適な冷房運転を行えるようになっている。また、運転停止時、前記第一湾曲部６ａが口径の大きい吹出口５を、上端に隙間を生じることなく閉鎖することができるようになっている。更に、前面が曲面状のため、天井からの照明光より影となる本体下部に、前記第二湾曲部が照明光を反射し、細い帯状に見せることによりアクセントとなり、空気調和機本体にスリム感を与え、インテリア性を向上させることができるようになっている。
【図面の簡単な説明】
【００２３】
【図１】本発明による空気調和機を示す外観斜視図である。。
【図２】本発明による空気調和機の断面図である
【図３】（Ａ）及び（Ｂ）は上下風向板を示す斜視図及び断面図である  （Ｃ）は本体の前面下部を示す要部斜視図である。
【図４】（Ａ）及び（Ｂ）は上下風向板の効果を示す説明図である。
【図５】運転停止時の上下風向板の効果を示す説明図である。
【図６】（Ａ）及び（Ｂ）は従来の空気調和機を示す断面図である。
【符号の説明】
【００２４】
１  ベース
２  前面パネル
２ａ  吹出口側方部
３  上面吸込口
４  前面吸込口
５  吹出口
５ａ  フロントガイダ
５ｂ  リアガイダ
６  上下風向板
６ａ  第一湾曲部
６ｂ  第二湾曲部
６ｃ  リブ
６ｄ  軸
７  表示部
８  フィルタ
９  熱交換器
９ａ  前方下部
９ｂ  前方上部
９ｃ  後方上部
１０ａ  前部露受皿
１０ｂ  後部露受皿
１１  送風ファン
１２  ステー
１３  左右風向板
１４ａ  下層側の冷気
１４ｂ  上層側の冷気
【図１】
2009198140.tif 000003
【図２】
2009198140.tif 000004
【図３】
2009198140.tif 000005
【図４】
2009198140.tif 000006
【図５】
2009198140.tif 000007
【図６】
2009198140.tif 000008